(57)【要約】      （修正有）【課題】補強壁の突出量を増加させることができる包装箱を提供する。【解決手段】トレイ１は、底壁１０の周縁部に起立姿勢で設けられる側壁１１と端壁１２とを備え、側壁１１は、底壁１０の周縁部から上方に延びた状態に設けられる第１外壁２０と、第１外壁２０の側端部から端壁１２に向かって延びた状態に設けられる外折返壁２１と、第１外壁２０と外折返壁２１との上端部から内側に向って延びた状態に設けられる第１額縁部２２と、第１外壁２０に連なった第１額縁部２２の先端部から下方に延びた状態に設けられ、隙間を挟んで内側から第１外壁２０に対向する第１内壁２３と、外折返壁２１に連なった第１額縁部２２の先端部から下方に延びた状態に設けられ、隙間を挟んで内側から外折返壁２１に対向する内折返壁２４と、第１内壁２３と内折返壁２４との間に連なった状態に設けられ、内側に向かって突出する補強壁２５と、を含んでいる。【選択図】図５
2019001504.tif 000002
【特許請求の範囲】
【請求項１】
底壁（１０）と、
前記底壁の周縁部に起立姿勢で設けられる第１側壁（１１）と、
前記第１側壁とは周方向にずれて前記第１側壁に隣接する位置で前記底壁の周縁部に起立姿勢で設けられる第２側壁（１２）と、を備え、
前記第１側壁は、
前記底壁の周縁部から上方に延びた状態に設けられる第１外壁（２０）と、
前記第１外壁の側端部から前記第２側壁に向かって延びた状態に設けられる外折返壁（２１）と、
前記第１外壁と前記外折返壁のうち少なくとも一方の上端部から内側に向って延びた状態に設けられる第１額縁部（２２）と、
前記第１外壁の上端部またはこれに連なった前記第１額縁部の先端部から下方に延びた状態に設けられ、隙間（Ｇ１）を挟んで内側から前記第１外壁に対向する第１内壁（２３）と、
前記外折返壁の上端部またはこれに連なった前記第１額縁部の先端部から下方に延びた状態に設けられ、隙間（Ｇ２）を挟んで内側から前記外折返壁に対向する内折返壁（２４）と、
前記第１内壁に第１折曲線（Ｌ１１）を介して連なった状態、且つ前記内折返壁に第２折曲線（Ｌ１２）を介して連なった状態に設けられ、前記第１折曲線と前記第２折曲線とで谷折れした状態で内側に向かって突出する補強壁（２５）と、を含んでいることを特徴とする包装箱（１）。
【請求項２】
前記第２側壁は、
前記底壁の周縁部から上方に延びた状態に設けられ、外側から前記外折返壁に対向する第２外壁（３０）と、
前記第２外壁の上端部から内側に向って延びた状態に設けられ、上側から前記外折返壁と前記内折返壁との上端部に対向する第２額縁部（３１）と、
前記第２額縁部の先端部から下方に延びた状態に設けられ、内側から前記内折返壁に対向する第２内壁（３２）と、
前記第２内壁の側端部から前記第１内壁に向かって延びた状態に設けられ、内側から前記補強壁を覆う保護壁（３３）と、を含んでいることを特徴とする請求項１に記載の包装箱。
【請求項３】
前記第１額縁部は、
前記第１外壁の上端部から内側に向って延びた状態に設けられる外装額縁部（２２Ａ）と、
前記外折返壁の上端部から内側に向って延びた状態に設けられる内装額縁部（２２Ｂ）と、を含み、
前記内装額縁部は、前記外装額縁部よりも長い延出寸法に設定され、前記外装額縁部の高さ以下となる位置に設けられることを特徴とする請求項２に記載の包装箱。
【請求項４】
前記補強壁には、前記第１折曲線と前記第２折曲線との間で前記第１折曲線および前記第２折曲線と平行に延びた第３折曲線（Ｌ１３）が形成され、
前記補強壁は、前記第１折曲線と前記第２折曲線で谷折れし、且つ前記第３折曲線が内側に突き出されつつ山折れした状態で支柱（２５Ａ）を形成することを特徴とする請求項１ないし３のいずれかに記載の包装箱。
【発明の詳細な説明】
【技術分野】
【０００１】
本発明は、包装箱に関する。
【背景技術】
【０００２】
内容物を収容し、上下に複数積層可能な包装箱が知られている。
【０００３】
例えば、特許文献１に記載の包装箱は、長方形状の底壁と、底壁の短辺に起立姿勢で設けた一対の端壁と、底壁の長辺に起立姿勢で設けた一対の側壁と、を備えている。端壁の両側には一対の縁壁が連設され、端壁の上端には内壁が連設されている。内壁の両側には、一対の補強壁と一対の折返壁とが順番に連設されている。内壁は端壁との境界で折り畳まれて端壁の内面に重畳され、折返壁は縁壁の内面に重畳される。端壁および内壁に対して縁壁および折返壁を内側に折り曲げると、補強壁が内向きに突出する。
【先行技術文献】
【特許文献】
【０００４】
【特許文献１】特許第５７８２５７７号公報
【発明の概要】
【発明が解決しようとする課題】
【０００５】
二重構造の壁が折曲した形状である場合、その内周は外周よりも短くなる。上記した包装箱では、二重構造の壁における外周と内周との差によって、補強壁が圧縮力を受けて突出するように構成されていた。
【０００６】
ここで、二重構造の壁における外周と内周との差は２枚の壁の間隔を広げるほど大きくなり、補強壁の突出量はこの差に比例して増加する。しかしながら、上記した包装箱では、内壁と折返壁とが端壁と縁壁との内面に密着しているため、外周と内周との差が小さく、補強壁の突出量を大きくすることができなかった。補強壁の突出量が小さい場合、運搬中に包装箱内の内容物が移動して補強壁に衝突し、補強壁の突出部分を潰してしまう虞があった。
【０００７】
本発明は、上記課題を解決するために、補強壁の突出量を増加させることができる包装箱を提供する。
【課題を解決するための手段】
【０００８】
上記した目的を達成するため、本発明の包装箱は、底壁と、前記底壁の周縁部に起立姿勢で設けられる第１側壁と、前記第１側壁とは周方向にずれて前記第１側壁に隣接する位置で前記底壁の周縁部に起立姿勢で設けられる第２側壁と、を備え、前記第１側壁は、前記底壁の周縁部から上方に延びた状態に設けられる第１外壁と、前記第１外壁の側端部から前記第２側壁に向かって延びた状態に設けられる外折返壁と、前記第１外壁と前記外折返壁のうち少なくとも一方の上端部から内側に向って延びた状態に設けられる第１額縁部と、前記第１外壁の上端部またはこれに連なった前記第１額縁部の先端部から下方に延びた状態に設けられ、隙間を挟んで内側から前記第１外壁に対向する第１内壁と、前記外折返壁の上端部またはこれに連なった前記第１額縁部の先端部から下方に延びた状態に設けられ、隙間を挟んで内側から前記外折返壁に対向する内折返壁と、前記第１内壁に第１折曲線を介して連なった状態、且つ前記内折返壁に第２折曲線を介して連なった状態に設けられ、前記第１折曲線と前記第２折曲線とで谷折れした状態で内側に向かって突出する補強壁と、を含んでいる。
【０００９】
この場合、前記第２側壁は、前記底壁の周縁部から上方に延びた状態に設けられ、外側から前記外折返壁に対向する第２外壁と、前記第２外壁の上端部から内側に向って延びた状態に設けられ、上側から前記外折返壁と前記内折返壁との上端部に対向する第２額縁部と、前記第２額縁部の先端部から下方に延びた状態に設けられ、内側から前記内折返壁に対向する第２内壁と、前記第２内壁の側端部から前記第１内壁に向かって延びた状態に設けられ、内側から前記補強壁を覆う保護壁と、を含んでいることが好ましい。
【００１０】
この場合、前記第１額縁部は、前記第１外壁の上端部から内側に向って延びた状態に設けられる外装額縁部と、前記外折返壁の上端部から内側に向って延びた状態に設けられる内装額縁部と、を含み、前記内装額縁部は、前記外装額縁部よりも長い延出寸法に設定され、前記外装額縁部の高さ以下となる位置に設けられることが好ましい。
【００１１】
この場合、前記補強壁には、前記第１折曲線と前記第２折曲線との間で前記第１折曲線および前記第２折曲線と平行に延びた第３折曲線が形成され、前記補強壁は、前記第１折曲線と前記第２折曲線で谷折れし、且つ前記第３折曲線が内側に突き出されつつ山折れした状態で支柱を形成することが好ましい。
【発明の効果】
【００１２】
本発明によれば、補強壁の突出量を増加させることができる。
【図面の簡単な説明】
【００１３】
【図１】本発明の一実施形態に係るトレイを示す斜視図である。
【図２】本発明の一実施形態に係るトレイのブランクを示す平面図である。
【図３】本発明の一実施形態に係るトレイの側壁の組立工程（前半）を説明する斜視図である。
【図４】本発明の一実施形態に係るトレイであって支柱を形成する前の補強壁等を示す断面図である。
【図５】本発明の一実施形態に係るトレイの側壁の組立工程（後半）を説明する斜視図である。
【図６】本発明の一実施形態に係るトレイであって支柱を形成した補強壁等を示す斜視図である。
【図７】本発明の一実施形態に係るトレイであって支柱を形成した補強壁等を示す断面図である。
【図８】本発明の一実施形態に係るトレイの支柱等を示す斜視図である。
【図９】本発明の一実施形態の第１変形例に係るトレイのブランクの一部を示す平面図である。
【図１０】本発明の一実施形態の第２変形例に係るトレイのブランクの一部を示す平面図である。
【発明を実施するための形態】
【００１４】
以下、添付の図面を参照しつつ、本発明の実施形態について説明する。なお、本明細書では、方向や位置を示す用語を用いるが、それらの用語は説明の便宜のために用いるものであって、本発明の技術的範囲を限定するものではない。
【００１５】
［トレイの概要］
図１および図２を参照して、包装箱の一例としてのトレイ１について説明する。図１はトレイ１を示す斜視図である。図２はトレイ１のブランク５を示す平面図である。
【００１６】
図１に示すように、トレイ１は、上面に開口部１Ａを有し、全体として略直方体状に形成されている。トレイ１は、内容物（図示せず）を収容した状態で上下に複数積層可能に形成されている。トレイ１の内側の四隅部分には、上下方向に延びた４本の支柱２５Ａが設けられている。支柱２５Ａは、上方に積載された他のトレイ１の底壁１０に突き当たって他のトレイ１を支持する。
【００１７】
トレイ１は、底壁１０の周縁部に起立姿勢で設けられる一対の側壁１１と一対の端壁１２とを備えている。一対の側壁１１は底壁１０を挟んで幅方向に対向し、一対の端壁１２は底壁１０を挟んで幅方向に直交する長手方向に対向している。すなわち、端壁１２は、側壁１１とは周方向に略９０度ずれて側壁１１に隣接する位置で底壁１０の周縁部に起立姿勢で設けられている。
【００１８】
トレイ１は、図２に示すブランク５を組み立てることで形成されている。ブランク５は、１枚の紙製の段ボールシートをダイカッタ等で打ち抜くことで形成されている。段ボールシートは、例えば、波状の中しん９Ａの表裏に表ライナ９Ｂと裏ライナ９Ｃ（図３参照）とを貼り合せたものである。なお、図２は、表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００１９】
［ブランク］
図２に示すように、ブランク５は、底壁１０と、一対の側壁１１（第１側壁）と、一対の端壁１２（第２側壁）と、を含んでいる。底壁１０は、段方向よりも流れ方向に長い略長方形状に形成されている。一対の側壁１１は、底壁１０の段方向両端部に第１罫線Ｌ１を介して連なった状態に設けられている。一対の端壁１２は、底壁１０の流れ方向両端部に第２罫線Ｌ２を介して連なった状態に設けられている。なお、第１罫線Ｌ１および第２罫線Ｌ２は、それぞれ、段ボールシートを裏ライナ９Ｃ側から厚み方向に潰して形成された汎用罫線である。また、一対の側壁１１は、底壁１０を挟んで段方向に対称に形成されているため、以下、一方（例えば図２で上側）の側壁１１について説明する。これと同様の理由で、以下、一対の端壁１２のうち一方（例えば図２で右側）の端壁１２について説明する。
【００２０】
＜底壁＞
底壁１０には、４つの第１底穴１０Ａと、２つの第２底穴１０Ｂと、が開口している。４つの第１底穴１０Ａは、底壁１０の段方向両端部において流れ方向両側に離間した位置に形成されている。２つの第２底穴１０Ｂは、底壁１０の流れ方向両端部において段方向略中央部に形成されている。第１底穴１０Ａは第１罫線Ｌ１に沿って形成され、第２底穴１０Ｂは第２罫線Ｌ２に沿って形成されている。第１底穴１０Ａは流れ方向に細長い略長方形状に形成され、第２底穴１０Ｂは段方向に細長い略長方形状に形成されている。なお、第２底穴１０Ｂの流れ方向の開口寸法は、第１底穴１０Ａの段方向の開口寸法よりも大きく設定されている。
【００２１】
＜側壁＞
側壁１１は、全体として流れ方向に長い略長方形状に形成されている。側壁１１は、第１外壁２０と、一対の外折返壁２１と、第１額縁部２２と、第１内壁２３と、一対の内折返壁２４と、一対の補強壁２５と、を含んでいる。第１外壁２０は、底壁１０の段方向一端部に第１罫線Ｌ１を介して連なった状態に設けられている。一対の外折返壁２１は、第１外壁２０の流れ方向両端部に外側折曲線Ｌ１０を介して連なった状態に設けられている。第１額縁部２２は、外装額縁部２２Ａと、一対の内装額縁部２２Ｂと、を含んでいる。外装額縁部２２Ａは、２本の第３罫線Ｌ３を介して第１外壁２０と第１内壁２３との間に設けられている。一対の内装額縁部２２Ｂは、それぞれ、２本の第４罫線Ｌ４を介して外折返壁２１と内折返壁２４との間に設けられている。第１内壁２３は、外装額縁部２２Ａの段方向一端部（先端部）に第３罫線Ｌ３を介して連なった状態に設けられている。一対の内折返壁２４は、一対の内装額縁部２２Ｂの段方向一端部（先端部）に第４罫線Ｌ４を介して連なった状態に設けられている。一対の補強壁２５は、第１内壁２３と一対の内折返壁２４との間に設けられている。なお、外側折曲線Ｌ１０、第３罫線Ｌ３および第４罫線Ｌ４は、それぞれ、汎用罫線である。
【００２２】
（第１外壁）
第１外壁２０は、底壁１０の段方向一端部から段方向外側に向かって延びている。第１外壁２０は、第１罫線Ｌ１を長辺として流れ方向に長い略長方形状に形成されている。第１外壁２０の段方向の寸法（延出寸法）は、底壁１０の段方向の寸法よりも短く（例えば１／３程度）設定されている。
【００２３】
（外折返壁）
一対の外折返壁２１は、第１外壁２０の流れ方向両端部（側端部）から流れ方向外側に向かって延びている。外折返壁２１は、外側折曲線Ｌ１０を短辺とし、流れ方向に長い略長方形状に形成されている。詳細は後述するが、外折返壁２１の流れ方向中間部分には内装額縁部２２Ｂが形成されており、外折返壁２１の流れ方向中間部分の延出寸法（段方向の寸法）は、第１外壁２０の延出寸法よりも僅かに短く設定されている。外折返壁２１の流れ方向外端部には、略半円状の把持凹部２１Ａが凹む状態に形成されている。また、外折返壁２１において把持凹部２１Ａよりも段方向内側（下側）には、欠損部２１Ｂが外折返壁２１の流れ方向外角部を切り欠くように形成されている。
【００２４】
（外装額縁部）
外装額縁部２２Ａは、第１外壁２０の段方向一端部（先端部）から段方向外側に向かって僅かに延びている。外装額縁部２２Ａは、第３罫線Ｌ３を長辺として流れ方向に細長い略長方形状に形成されている。詳細には、外装額縁部２２Ａは、基端（第１外壁２０側）から先端に向かって流れ方向に僅かに幅狭くなる略台形状に形成されている。このため、外装額縁部２２Ａの流れ方向両端辺は、基端から先端に向かって互いに接近するように傾斜している。外装額縁部２２Ａの延出寸法は、段ボールシートの厚さよりも僅かに長く設定されている（例えば１０ｍｍ程度）。
【００２５】
更に詳細に説明すると、外装額縁部２２Ａは、２つの分断線対２６によって流れ方向に３つに分割されている。２つの分断線対２６は、流れ方向において２つの第１底穴１０Ａに対応して配置されている。分断線対２６は、刃物を段ボールシートの厚み方向に貫通させた２本の切断線で構成されている。分断線対２６を構成する２本の切断線は、２本の第３罫線Ｌ３に直交し、互いに流れ方向に離間して平行に並んでいる。分断線対２６（切断線）は、２本の第３罫線Ｌ３を超えて第１外壁２０および第１内壁２３まで延びている。また、この２本の切断線の間には、２本の第３罫線Ｌ３は形成されておらず、１本の第５罫線Ｌ５が形成されている。第５罫線Ｌ５は、２本の第３罫線Ｌ３の間隔の略中央で第３罫線Ｌ３と平行に延びた汎用罫線である。
【００２６】
（内装額縁部）
一対の内装額縁部２２Ｂは、それぞれ、外折返壁２１の段方向一端部（先端部）から段方向外側に向かって僅かに延びている。内装額縁部２２Ｂは、第４罫線Ｌ４を長辺として流れ方向に細長い略長方形状に形成されている。内装額縁部２２Ｂの延出寸法は、外装額縁部２２Ａの延出寸法よりも僅かに長く設定されている（例えば１５ｍｍ程度）。
【００２７】
第４罫線Ｌ４は、外折返壁２１の流れ方向両端部を除く中間部分に接続されている。したがって、内装額縁部２２Ｂは、外折返壁２１の流れ方向中間部分に設けられ、外装額縁部２２Ａから流れ方向外側に離間している。一対の内装額縁部２２Ｂの流れ方向両外端部には、分断線２７（切断線）が形成されている。分断線２７は、２本の第４罫線Ｌ４に直交し、２本の第４罫線Ｌ４を超えて外折返壁２１および内折返壁２４まで延びている。また、分断線２７よりも流れ方向両外側には、２本の第４罫線Ｌ４は形成されておらず、１本の第６罫線Ｌ６が形成されている。第６罫線Ｌ６は、２本の第４罫線Ｌ４の間隔の略中央で第４罫線Ｌ４と平行に延びた汎用罫線である。
【００２８】
（第１内壁）
第１内壁２３は、外装額縁部２２Ａの先端部から段方向外側に向かって延びている。第１内壁２３は、第３罫線Ｌ３と第５罫線Ｌ５とを合わせた線を長辺として流れ方向に長い略長方形状に形成されている。詳細には、第１内壁２３は、第１外壁２０よりも流れ方向に僅かに短く形成されている。第１外壁２０の延出寸法は、第１外壁２０の延出寸法と略同一に設定されている。第１内壁２３の先端部には、２つの第１底穴１０Ａ（２つの分断線対２６）に対応する位置に２つの係合突起２３Ａが形成されている。また、第１内壁２３には、一対の係合スリット２３Ｂが先端（下端）から基端（上方）に向かって切り込まれている。一対の係合スリット２３Ｂは、２つの係合突起２３Ａよりも流れ方向両外側に形成されている。
【００２９】
（内折返壁）
一対の内折返壁２４は、一対の内装額縁部２２Ｂの先端部から段方向外側に向かって延びている。内折返壁２４は、第４罫線Ｌ４と第６罫線Ｌ６とを合わせた線を長辺として流れ方向に長い略長方形状に形成されている。内折返壁２４は、外折返壁２１よりも流れ方向に短く形成されている。内折返壁２４の先端は第１内壁２３の先端と揃えられ、且つ内装額縁部２２Ｂは外装額縁部２２Ａよりも幅広いため、内折返壁２４の延出寸法は第１内壁２３の延出寸法よりも僅かに短く設定されている。
【００３０】
（補強壁）
一対の補強壁２５は、それぞれ、第１内壁２３に第１折曲線Ｌ１１を介して連なった状態、且つ内折返壁２４に第２折曲線Ｌ１２を介して連なった状態に設けられている。一対の補強壁２５は、第１折曲線Ｌ１１（または第２折曲線Ｌ１２）を長辺とし、段方向に長い略長方形状に形成されている。補強壁２５の先端は第１内壁２３等の先端と揃えられている。補強壁２５は外折返壁２１から段方向外側に離間しているため、外折返壁２１、外装額縁部２２Ａ、内装額縁部２２Ｂおよび補強壁２５で囲まれた領域には略長方形状の開口が形成されている。
【００３１】
第１折曲線Ｌ１１は、外装額縁部２２Ａの流れ方向外端辺の先端から段方向外側に向かって延びている。第１折曲線Ｌ１１は、外側折曲線Ｌ１０よりも僅かに流れ方向内側にずれた位置に形成されている。第２折曲線Ｌ１２は、内装額縁部２２Ｂの流れ方向内端辺の先端から段方向外側に向かって延びている。補強壁２５には、第１折曲線Ｌ１１と第２折曲線Ｌ１２との間で第３折曲線Ｌ１３が形成されている。第３折曲線Ｌ１３は、外側折曲線Ｌ１０よりも流れ方向外側にずれた位置に形成されている。第３折曲線Ｌ１３は、第１折曲線Ｌ１１と第２折曲線Ｌ１２との間隔の略中央で、第１折曲線Ｌ１１および第２折曲線Ｌ１２と平行に延びている。なお、第１および第２折曲線Ｌ１１，Ｌ１２は、段ボールシートを表面から厚み方向に潰して形成された逆罫線上に所定間隔で複数の切断線を形成したリード罫である。また、第３折曲線Ｌ１３は、汎用罫線上に所定間隔で複数の切断線を形成したリード罫である。
【００３２】
＜端壁＞
端壁１２は、全体として段方向に長い略長方形状に形成されている。端壁１２は、第２外壁３０と、第２額縁部３１と、第２内壁３２と、一対の保護壁３３と、を含んでいる。第２外壁３０は、底壁１０の流れ方向一端部に第２罫線Ｌ２を介して連なった状態に設けられている。第２額縁部３１は、２本の第７罫線Ｌ７を介して第２外壁３０と第２内壁３２との間に設けられている。第２内壁３２は、第２額縁部３１の流れ方向一端部（先端部）に第７罫線Ｌ７を介して連なった状態に設けられている。一対の保護壁３３は、第２内壁３２の段方向両端部に内側折曲線Ｌ１４を介して連なった状態に設けられている。なお、第７罫線Ｌ７は、汎用罫線上に所定間隔で複数の切断線を形成したリード罫である。内側折曲線Ｌ１４は、逆罫線上に所定間隔で複数の切断線を形成したリード罫である。
【００３３】
（第２外壁）
第２外壁３０は、底壁１０の流れ方向一端部から流れ方向外側に向かって延びている。第２外壁３０は、第２罫線Ｌ２を長辺として段方向に長い略長方形状に形成されている。第２外壁３０の流れ方向の寸法（延出寸法）は、第１外壁２０の延出寸法と略同一に設定されている。第２外壁３０の略中央部には、略楕円形状の把持穴３０Ａが開口している。
【００３４】
（第２額縁部）
第２額縁部３１は、第２外壁３０の先端部から流れ方向外側に向かって僅かに延びている。第２額縁部３１は、第７罫線Ｌ７を長辺として段方向に細長い略長方形状に形成されている。詳細には、第２額縁部３１は、第２外壁３０の段方向両側を除く段方向中間部分に接続されている。第２額縁部３１の延出寸法は、内装額縁部２２Ｂの延出寸法よりも僅かに長く設定されている（例えば２１ｍｍ程度）。
【００３５】
更に詳細に説明すると、第２額縁部３１は、１つの分断線対３４によって段方向に２つに分割されている。分断線対３４は、２本の切断線で構成され、段方向において第２底穴１０Ｂに対応して配置されている。分断線対３４を構成する２本の切断線は、２本の第７罫線Ｌ７に直交し、互いに段方向に離間して平行に並んでいる。分断線対３４（切断線）は、２本の第７罫線Ｌ７を超えて第２外壁３０および第２内壁３２まで延びている。また、この２本の切断線の間には、２本の第７罫線Ｌ７は形成されておらず、１本の第８罫線Ｌ８が形成されている。第８罫線Ｌ８は、２本の第７罫線Ｌ７の間隔の略中央で第７罫線Ｌ７と平行に延びている。また、２本の切断線の間には、この２本の切断線の両端部を接続するように２本の第９罫線Ｌ９が形成されている。なお、第８罫線Ｌ８は汎用罫線上に所定間隔で複数の切断線を形成したリード罫であり、第９罫線Ｌ９は汎用罫線である。
【００３６】
（第２内壁）
第２内壁３２は、第２額縁部３１の先端部から流れ方向外側に向かって延びている。第２内壁３２は、第７罫線Ｌ７と第８罫線Ｌ８（第９罫線Ｌ９）とを合わせた線を長辺として段方向に長い略長方形状に形成されている。第２内壁３２は、第２外壁３０よりも段方向に短く形成されている。第２外壁３０の延出寸法は、第２外壁３０の延出寸法と略同一に設定されている。
【００３７】
（保護壁）
一対の保護壁３３は、第２内壁３２の段方向両端部から段方向外側に向かって延びている。保護壁３３は、内側折曲線Ｌ１４を長辺として流れ方向に長い略長方形状に形成されている。保護壁３３の段方向外端部には、端折線Ｌ１５を介して略台形状の摘み片３３Ａが連続されている。また、摘み片３３Ａよりも流れ方向外側（下側）となる保護壁３３の段方向外端辺は、基端から先端に向かって段方向外側に傾斜した係合凸部３３Ｂを構成している。なお、端折線Ｌ１５は逆罫線上に所定間隔で複数の切断線を形成したリード罫である。
【００３８】
［組立工程］
次に、図３ないし図８を参照して、トレイ１の組立工程について説明する。図３はトレイ１の側壁１１の組立工程（前半）を説明する斜視図である。図４は支柱２５Ａを形成する前の補強壁２５等を示す断面図である。図５はトレイ１の側壁１１の組立工程（後半）を説明する斜視図である。図６は支柱２５Ａを形成した補強壁２５等を示す斜視図である。図７は支柱２５Ａを形成した補強壁２５等を示す断面図である。図８は支柱２５Ａ等を示す斜視図である。
【００３９】
トレイ１は、裏ライナ９Ｃを上方に向けたブランク５を適宜折り曲げることで組み立てられる。ここでは、作業者が手作業で組立工程を行う場合について説明する。なお、以下、説明を簡単にするため、１つの側壁１１および１つの端壁１２の組立工程について説明する。
【００４０】
＜側壁の組立工程＞
図３に示すように、作業者は、第１外壁２０を第１罫線Ｌ１に沿って折り曲げ、第１外壁２０を底壁１０に対して略垂直に立ち上げる。この状態で、第１外壁２０は、底壁１０の周縁部（長辺）から上方に延びた状態に設けられる。また、一対の外折返壁２１も略垂直に起立した姿勢になる。
【００４１】
続いて、作業者は、外装額縁部２２Ａおよび第１内壁２３を第３罫線Ｌ３に沿って内側に略直角に折り曲げ、且つ、一対の内装額縁部２２Ｂおよび一対の内折返壁２４を第４罫線Ｌ４に沿って内側に略直角に折り曲げる。また、作業者は、第１内壁２３の２つの係合突起２３Ａを底壁１０の２つの第１底穴１０Ａに嵌め込む。各額縁部２２Ａ，２２Ｂや各壁２３，２４の折り曲げに伴って、分断線対２６の間の第５罫線Ｌ５は、相対的に外装額縁部２２Ａから上方に突き出して第１ガイド突起１１Ａを構成する。これと同様に、分断線２７よりも外側の第６罫線Ｌ６は、相対的に内装額縁部２２Ｂから上方に突き出して内包突起１１Ｂを構成する。
【００４２】
この状態で、外装額縁部２２Ａは第１外壁２０の上端部から内側に向って延びた状態に設けられ、内装額縁部２２Ｂは外折返壁２１の上端部から内側に向って延びた状態に設けられる。また、第１内壁２３は、外装額縁部２２Ａ（第１額縁部２２）の先端部から下方に延びた状態に設けられる。また、内折返壁２４は、内装額縁部２２Ｂ（第１額縁部２２）の先端部から下方に延びた状態に設けられる。
【００４３】
図４に示すように、第１内壁２３は隙間Ｇ１を挟んで内側から第１外壁２０に対向し、内折返壁２４は隙間Ｇ２を挟んで内側から外折返壁２１に対向している。また、補強壁２５も隙間を挟んで内側から外折返壁２１に対向しているが、補強壁２５と外折返壁２１との隙間は隙間Ｇ１から徐々に隙間Ｇ２に広がるように形成されている。なお、内装額縁部２２Ｂは外装額縁部２２Ａよりも幅広いため、隙間Ｇ２は隙間Ｇ１よりも大きくなっている。また、各額縁部２２Ａ，２２Ｂの幅の違いによって、外折返壁２１は第１外壁２０よりも僅かに低くなり、内折返壁２４は第１内壁２３よりも僅かに低くなっている。したがって、内装額縁部２２Ｂは、外装額縁部２２Ａよりも低い位置（例えば、段ボールシートの厚さだけ低い位置）に設けられている。
【００４４】
次に、図５に示すように、作業者は、一対の外折返壁２１を外側折曲線Ｌ１０に沿って内側に略直角に折り曲げ、且つ、一対の補強壁２５（一対の内折返壁２４）を第１折曲線Ｌ１１に沿って内側に略直角に折り曲げる。この状態で、外折返壁２１は、第１外壁２０の側端部から端壁１２に向かって延びた状態に設けられる。また、補強壁２５は第１内壁２３の側端部から端壁１２に向かって延び、内折返壁２４は補強壁２５の側端部から端壁１２に向かって延びた状態に設けられる。なお、この状態で、各折返壁２１，２４は第２罫線Ｌ２上に起立姿勢で配置され、一対の外折返壁２１（一対の内折返壁２４）の先端部は底壁１０の段方向略中央で対向している。
【００４５】
ここで、図４に示すように、第２折曲線Ｌ１２を基準とすると、外側折曲線Ｌ１０は間隔Ｄ１を隔てて位置し、第１折曲線Ｌ１１は間隔Ｄ２を隔てて位置している。間隔Ｄ２は、間隔Ｄ１よりも長く設定されている。つまり、第１折曲線Ｌ１１は、外側折曲線Ｌ１０から間隔Ｄ３（間隔Ｄ１と間隔Ｄ２の差分）を隔てた位置にオフセットされている。第１外壁２０に対して外折返壁２１を折り曲げ、且つ第１内壁２３に対して補強壁２５を折り曲げると、補強壁２５は、間隔Ｄ１，Ｄ２の差（間隔Ｄ３）によって圧縮力を受ける。
【００４６】
また、上記したように、第１内壁２３は隙間Ｇ１を隔てて第１外壁２０の内側に位置し、内折返壁２４（補強壁２５）は隙間Ｇ２を隔てて外折返壁２１の内側に位置している。さらに、外装額縁部２２Ａは第１外壁２０と第１内壁２３とを接続し、内装額縁部２２Ｂは外折返壁２１と内折返壁２４とを接続している。このため、外折返壁２１や補強壁２５等を折り曲げたとしても、二重壁構造の側壁１１の流れ方向両端はずれることなく揃えられた状態になる。したがって、二重壁構造の側壁１１が略Ｕ字形状を成すと、その側壁１１の内周はその外周よりも短くなる。この結果、図６および図７に示すように、補強壁２５は、上記した間隔Ｄ１，Ｄ２の差の他に、外周と内周との差によっても圧縮力を受け（図６および図７の破線矢印参照）、強度の弱くなった各折曲線Ｌ１１，Ｌ１２，Ｌ１３で折れ曲がる。詳細には、補強壁２５は、第１折曲線Ｌ１１と第２折曲線Ｌ１２で谷折れし、且つ第３折曲線Ｌ１３が内側に突き出されつつ山折れした状態で略三角柱状の支柱２５Ａを形成する。この支柱２５Ａの上端面は、外装額縁部２２Ａの上面と略同一平面を形成している。このように、補強壁２５は、第３折曲線Ｌ１３を内向きに突出させることで（図６および図７の実線矢印参照）、側壁１１の外周と内周との差を吸収している。
【００４７】
＜端壁の組立＞
次に、図１に示すように、作業者は、第２外壁３０を第２罫線Ｌ２に沿って折り曲げ、第２外壁３０を底壁１０に対して略垂直に立ち上げる。この状態で、第２外壁３０は、底壁１０の周縁部（短辺）から上方に延びた状態に設けられ、外側から一対の外折返壁２１に対向している。また、第２外壁３０の把持穴３０Ａは、一対の外折返壁２１の把持凹部２１Ａ（図５参照）に略一致している。把持穴３０Ａ等は、トレイ１を持ち運ぶユーザが手（指）を掛けるために形成されている。
【００４８】
続いて、作業者は、第２額縁部３１および第２内壁３２を第７罫線Ｌ７に沿って内側に略直角に折り曲げる。すると、外折返壁２１、内装額縁部２２Ｂおよび内折返壁２４が端壁１２によって包み込まれた状態になる。また、分断線対３４の間の第８罫線Ｌ８は、相対的に第２額縁部３１から上方に突き出して第２ガイド突起１２Ａを構成する。
【００４９】
この状態で、図１および図８に示すように、第２額縁部３１は、第２外壁３０の上端部から内側に向って延びた状態に設けられ、上側から各外折返壁２１と各内折返壁２４との上端部に対向している。詳細には、第２額縁部３１は、内装額縁部２２Ｂを覆い、支柱２５Ａの上端面を露出させている。また、第２額縁部３１の上面は、内装額縁部２２Ｂを覆った状態で、支柱２５Ａの上端面（外装額縁部２２Ａの上面）と略同一平面を形成している。なお、第６罫線Ｌ６を突出させた内包突起１１Ｂは、第２ガイド突起１２Ａの内側に嵌合している。
【００５０】
また、第２内壁３２は、第２額縁部３１の先端部から下方に延びた状態に設けられ、内側から一対の内折返壁２４に対向している。さらに、保護壁３３は、第２内壁３２の側端部から第１内壁２３に向かって延びた状態に設けられる。保護壁３３は、内側折曲線Ｌ１４で谷折れして内側から補強壁２５（支柱２５Ａ）を覆っている。保護壁３３の側端部から延びた摘み片３３Ａは、端折線Ｌ１５で谷折れして第１内壁２３に接触している。保護壁３３の係合凸部３３Ｂは、第１内壁２３の係合スリット２３Ｂに挿し込まれ、第２内壁３２および保護壁３３を固定している。
【００５１】
以上によって、トレイ１の組立作業が完了する。このトレイ１では、側壁１１は、第１外壁２０と第１内壁２３と対向させ、且つ外折返壁２１と内折返壁２４等とを対向させた二重壁構造に形成されている。また、端壁１２は、外折返壁２１および内折返壁２４等を挟んで第２外壁３０と第２内壁３２とを対向させた二重壁構造に形成されている。なお、トレイ１を分解するには、作業者は、摘み片３３Ａを内側に引っ張って係合凸部３３Ｂを係合スリット２３Ｂから離脱させる。その後、上記した組立工程とは逆工程を行うことによってトレイ１を簡単に分解することができる。
【００５２】
このトレイ１は、複数積み重ねることができるようになっている。例えば、下段のトレイ１に上段のトレイ１を積み重ねると、下段のトレイ１の第１ガイド突起１１Ａが上段のトレイ１の第１底穴１０Ａに嵌合し、下段のトレイ１の第２ガイド突起１２Ａが上段のトレイ１の第２底穴１０Ｂに嵌合する。また、上段のトレイ１の底壁１０は、下段のトレイ１の外装額縁部２２Ａの上面、第２額縁部３１の上面および支柱２５Ａの上端面に載置される。以上によって、２つのトレイ１が積み重なると共に連結された状態になる。なお、第２底穴１０Ｂの内部には一対の外折返壁２１の欠損部２１Ｂが位置しているため、下段のトレイ１の第２ガイド突起１２Ａが上段のトレイ１の外折返壁２１に干渉することが防止されている。
【００５３】
以上説明した本実施形態に係るトレイ１では、第１内壁２３が第１外壁２０から内側に離間し、内折返壁２４および補強壁２５が外折返壁２１から内側に離間する構成とした。この構成によれば、第１内壁２３等と第１外壁２０等とを密着させた場合に比べて、側壁１１の外周と内周との差を増加させることができる。これにより、補強壁２５が外周と内周との差を吸収するように各折曲線Ｌ１１，Ｌ１２，Ｌ１３で大きく折れ曲がるため、補強壁２５の突出量を増加させることができる。この結果、トレイ１内の内容物が衝突する等して補強壁２５が潰れることを抑制することができる。
【００５４】
また、本実施形態に係るトレイ１によれば、保護壁３３が、突出した補強壁２５を覆うため、トレイ１内の内容物が補強壁２５に直接衝突することを防止することができる。これにより、補強壁２５の潰れを有効に抑制することができる。
【００５５】
また、本実施形態に係るトレイ１では、内装額縁部２２Ｂの延出寸法（隙間Ｇ２）を外装額縁部２２Ａの延出寸法（隙間Ｇ１）よりも長くすることによって、組立状態で内装額縁部２２Ｂの位置が外装額縁部２２Ａの位置よりも低くなる構成とした。この構成によれば、第２額縁部３１が上側から内装額縁部２２Ｂを覆った状態において、第２額縁部３１と外装額縁部２２Ａとの段差を少なくすることができる（図８参照）。これにより、外装額縁部２２Ａの上面と第２額縁部３１の上面とを略同一平面上に揃えることができるため、複数のトレイ１を安定して積み重ねることができる。
【００５６】
また、本実施形態に係るトレイ１では、補強壁２５が、第１内壁２３に対して第１折曲線Ｌ１１で谷折れすることで、自動的に第２折曲線Ｌ１２で谷折れし、且つ第３折曲線Ｌ１３で山折れする構成とした。この構成によれば、略三角柱状の支柱２５Ａを簡単に形成することができ、トレイ１の圧縮強さを向上させることができる。
【００５７】
なお、本実施形態に係るトレイ１では、内装額縁部２２Ｂの延出寸法（隙間Ｇ２）が、外装額縁部２２Ａの延出寸法（隙間Ｇ１）よりも長く（大きく）設定されていたが、これに限らず、外装額縁部２２Ａの延出寸法と同じであってもよいし、外装額縁部２２Ａの延出寸法よりも短く（小さく）設定されていてもよい。また、本実施形態に係るトレイ１では、内装額縁部２２Ｂが、外装額縁部２２Ａよりも低い位置に設けられていたが、これに限らず、外装額縁部２２Ａと略同一の高さに設けられていてもよい。つまり、内装額縁部２２Ｂは外装額縁部２２Ａの高さ以下となる位置に設けられていればよい。また、上記した内装額縁部２２Ｂ、外装額縁部２２Ａおよび第２額縁部３１の各々の延出寸法は一例であって、これに限らず、段ボールシートの厚さや補強壁２５の突出量等に応じて適宜変更することができる。
【００５８】
［変形例］
以上説明した本実施形態に係るトレイ１では、外装額縁部２２Ａが第１外壁２０に連続し、内装額縁部２２Ｂが外折返壁２１に連続していたが、本発明はこれに限定されない。第１額縁部２２は、第１外壁２０と外折返壁２１のうち少なくとも一方の上端部から内側に向って延びた状態に設けられていればよい。例えば、図９に示すように、第１変形例に係るトレイ１として、内装額縁部２２Ｂを省略してもよい。この場合、内折返壁２４は１本の第４罫線Ｌ４を介して外折返壁２１に接続され、分断線２７等は省略されてもよい。また、第１内壁２３は第１外壁２０に連なった外装額縁部２２Ａ（第１額縁部２２）の先端部から下方に延び、内折返壁２４は外折返壁２１の上端部で折り返されて下方に延びた状態に設けられることになる。他にも、例えば、図１０に示すように、第２変形例に係るトレイ１として、外装額縁部２２Ａを省略してもよい。この場合、第１内壁２３は１本の第３罫線Ｌ３を介して第１外壁２０に接続され、分断線対２６等は省略されてもよい。また、第１内壁２３は第１外壁２０の上端部で折り返されて下方に延び、内折返壁２４は外折返壁２１に連なった内装額縁部２２Ｂ（第１額縁部２２）の先端部から下方に延びた状態に設けられることになる。以上説明した第１および第２変形例に係るトレイ１によれば、補強壁２５の突出量を増加させる等の上記したトレイ１と同様の効果を得ることができる。
【００５９】
なお、本実施形態（第１および第２変形例を含む。以下同じ。）に係るトレイ１では、４本の支柱２５Ａ（４つの補強壁２５）が形成されていたが、本発明はこれに限定されない。例えば、支柱２５Ａは、上方のトレイ１を安定して支持するために、３本以上設けられていることが好ましい。また、支柱２５Ａは、略三角柱状に形成されていたが、本発明はこれに限定されない。例えば、補強壁２５が各折曲線Ｌ１１，Ｌ１２，Ｌ１３で略直角に折れ曲がるように各折曲線Ｌ１１，Ｌ１２，Ｌ１３の形成位置を調整し、支柱が略四角柱状に形成されていてもよい（図示せず）。また、他にも、第３折曲線Ｌ１３を省略し、補強壁２５を撓ませることで略半円形断面を有する支柱が形成されていてもよい（図示せず）。さらに、補強壁２５には１本の第３折曲線Ｌ１３が形成されていたが、これに限らず、補強壁２５に２本以上の第３折曲線Ｌ１３を形成してもよい。
【００６０】
また、本実施形態に係るトレイ１では、底壁１０が略長方形状に形成され、一対の側壁１１と一対の端壁１２とが互いに周方向に略９０度ずれて配置されていたが、本発明はこれに限定されない。例えば、底壁は、三角形、五角形または六角形等、長方形以外の多角形状や円形状（楕円形状）等に形成されていてもよい（図示せず）。この場合でも、側壁１１と端壁１２とが互いに隣り合うように底壁の周縁部に配置されることが好ましい。
【００６１】
また、本実施形態に係るトレイ１は、いわゆる額縁トレイであったが、これに限らず、本発明の特徴（第１額縁部２２等）を、開口部１Ａの一部を覆う桟部材を有する桟付きトレイに適用してもよい。また、トレイ１の開口部１Ａを閉塞する蓋体（図示せず）が設けられていてもよい。
【００６２】
また、本実施形態に係るトレイ１は、紙製の段ボールシートで形成されていたが、これに限らず、厚紙や樹脂製の板（シート）等で形成されていてもよい。
【００６３】
なお、上記実施形態の説明は、本発明に係る包装箱における一態様を示すものであって、本発明の技術範囲は、上記実施形態に限定されるものではない。
【符号の説明】
【００６４】
１          トレイ（包装箱）
１０        底壁
１１        側壁（第１側壁）
１２        端壁（第２側壁）
２０        第１外壁
２１        外折返壁
２２        第１額縁部
２２Ａ      外装額縁部
２２Ｂ      内装額縁部
２３        第１内壁
２４        内折返壁
２５        補強壁
２５Ａ      支柱
３０        第２外壁
３１        第２額縁部
３３        保護壁
Ｇ１，Ｇ２  隙間
Ｌ１１      第１折曲線
Ｌ１２      第２折曲線
Ｌ１３      第３折曲線
【図１】
2019001504.tif 000003
【図２】
2019001504.tif 000004
【図３】
2019001504.tif 000005
【図４】
2019001504.tif 000006
【図５】
2019001504.tif 000007
【図６】
2019001504.tif 000008
【図７】
2019001504.tif 000009
【図８】
2019001504.tif 000010
【図９】
2019001504.tif 000011
【図１０】
2019001504.tif 000012